(57)【要約】【課題】コストおよび作業の手間を削減可能とすること。【解決手段】ユニット建物１の屋根１０の平坦部Ａの周囲に設けられたパラペット３０と、パラペット３０の庇天端部Ｃか平坦部Ａにかけて設けられた軒樋部材５０と、平坦部Ａを覆って設けられた防水シートとしての塩ビシート１８と、を備える。そして、軒樋部材５０と塩ビシート１８とを覆って、第２の塩ビシート２００が設けられている。軒樋部材５０の庇天端部Ｃに位置する部分からパラペット３０の庇天端部Ｃに隣り合う外周側面を覆うシール補強部材７０が設けられ、シール補強部材７０と化粧板２５の間の隙間を塞いで防水材７３が設けられている。そして、第２の塩ビシート２００は、屋外側の端部がシール補強部材７０の上面を覆っている。【選択図】図２
2020158954.tif 000002
【特許請求の範囲】
【請求項１】
建物の屋根の平坦部の周囲に設けられたパラペットと、
前記パラペットの天端部から前記平坦部にかけて設けられた軒樋部材と、
前記平坦部を覆って設けられた防水シートと、
を備え、
前記軒樋部材と前記防水シートとを覆って、第２の防水シートが設けられている防水屋根構造。
【請求項２】
請求項１に記載の屋根防水構造において、
前記軒樋部材の前記天端部に位置する部分から前記パラペットの前記天端部に隣り合う外周側面を覆うシール補強部材が設けられ、
前記シール補強部材と前記パラペットの前記天端部および外側を覆う化粧板との間の隙間を塞いで防水材が設けられ、
前記第２の防水シートは、屋外側の端部が前記シール補強部材の上面を覆っている防水屋根構造。
【請求項３】
請求項２に記載の屋根防水構造において、
前記シール補強部材は、前記パラペットに沿って前記屋根の周方向に複数並設され、かつ、前記シール補強部材どうしの間に継ぎ目を有し、
前記継ぎ目を挟む前記シール補強部材の端部と、前記継ぎ目とを覆って継ぎ目用防水シートが設けられ、
前記第２の防水シートの屋外側の端部は、前記継ぎ目では、前記継ぎ目用防水シートを覆っている防水屋根構造。
【請求項４】
請求項１〜請求項３のいずれか１項に記載の屋根防水構造において、
前記第２の防水シートは、前記軒樋部材を覆う軒樋部材用シートと、前記平坦部を覆う平坦部用シートとを備えるとともに、前記軒樋部材用シートの端縁部と前記平坦部用シートの端縁部とが重なり合う重合部を有し、
前記軒樋部材用シートは、前記軒樋部材に接着剤により接着され、
前記防水シートの上には、前記防水シートとは材質が異なる絶縁シートが敷設され、この絶縁シートを前記平坦部に固定するのに用いた金属製のディスク板に、前記平坦部用シートが溶着されている防水屋根構造。
【請求項５】
建物の屋根の平坦部の周囲に設けられたパラペットと、
前記パラペットの天端部から前記平坦部にかけて設けられた軒樋部材と、
前記平坦部を覆って設けられた防水シートと、
を備えた防水屋根構造の補修方法であって、
前記軒樋部材と前記平坦部を第２の防水シートで覆い、前記軒樋部材と前記第２の防水シートとを接着剤で接着する工程を備える防水屋根構造の補修方法。
【請求項６】
請求項５に記載の防水屋根構造の補修方法において、
前記軒樋部材の前記天端部に位置する部分から前記パラペットの前記天端部に隣り合う外周側面を覆ってシール補強部材を設ける工程と、
前記平坦部の上に、前記防水シートおよび前記第２の防水シートとは異なる材質の絶縁シートを敷設する工程と、
前記シール補強部材および前記軒樋部材を第２の防水シートで覆って前記接着剤で接着する工程と、
前記平坦部の前記絶縁シートを前記第２の防水シートで覆って溶着する工程と、
を備える防水屋根構造の補修方法。
【請求項７】
パラペットの天端部に取り付けられた軒樋部材の端部と、前記パラペットの屋外側の側部上端部とを覆うのに用いるシール補強部材であって、
前記軒樋部材の端部を上方から覆う水平部と、
前記水平部の取り付け時に屋外側に配置される端部から垂下された垂下部と、
前記水平部と前記垂下部とによるコーナ部の裏面に設けられて、取付時に前記パラペットの前記天端部と前記側部上端部とに圧接可能な弾性を有した防水材と、
を備えるシール補強部材。
【発明の詳細な説明】
【技術分野】
【０００１】
本開示は、防水屋根構造、防水屋根構造の補修方法およびシール補強部材に関するものである。
【背景技術】
【０００２】
従来、建物の屋上の防水屋根構造としては、屋上に防水シートを敷き、その外周のパラペット部分を、鋼板製の部材で覆う構造が知られている（例えば、特許文献１参照）。
【０００３】
上述のようなパラペットを有した防水屋根構造において、積雪が多い地方などでは、パラペット部分および防水シートの劣化が早い場合がある。このような場合、既存の防水シートの上に、新規の防水シートを施工して補修を行うことが知られている（例えば、特許文献２参照）。
【先行技術文献】
【特許文献】
【０００４】
【特許文献１】特開２００２−２２７３６４号公報
【特許文献２】特開２０１７−６６８５９号公報
【発明の概要】
【発明が解決しようとする課題】
【０００５】
上述のような従来技術において、補修の際には、防水シートの周囲に設けられた鋼板製の部材は、新規の部材に交換していた。このため、コストおよび手間がかかっていた。
【０００６】
本開示は、コストおよび作業の手間を削減可能な防水屋根構造、防水屋根構造の補修方法およびこれらに用いるシール補強部材を提供することを目的としている。
【課題を解決するための手段】
【０００７】
前記目的を達成するために、本開示の防水屋根構造は、建物の屋根の平坦部の周囲に設けられたパラペットと、前記パラペットの天端部から前記平坦部にかけて設けられた軒樋部材と、前記平坦部を覆って設けられた防水シートと、を備え、前記軒樋部材と前記防水シートとを覆って、第２の防水シートが設けられている防水屋根構造とした。
【０００８】
また、本開示の防水屋根構造の補修方法は、建物の屋根の平坦部の周囲に設けられたパラペットと、前記パラペットの天端部から前記平坦部にかけて設けられた軒樋部材と、前記平坦部を覆って設けられた防水シートと、を備えた防水屋根構造の補修方法である。そして、前記軒樋部材と前記平坦部を第２の防水シートで覆い、前記軒樋部材と前記第２の防水シートとを前記接着剤で接着する工程を備える。
【０００９】
また、本開示のシール補強部材は、パラペットの天端部に取り付けられた軒樋部材の端部と、前記パラペットの屋外側の側部上端部とを覆うのに用いるシール補強部材である。そして、前記軒樋部材の端部を上方から覆う水平部と、前記水平部の取り付け時に屋外側に配置される端部から垂下された垂下部と、前記水平部と前記垂下部とによるコーナ部の裏面に設けられて、取付時に前記パラペットの天端部と前記側部上端部とに圧接可能な弾性を有した防水材と、を備える。
【発明の効果】
【００１０】
本開示の防水屋根構造および防水屋根構造の補修方法では、コストおよび作業の手間を削減可能である。また、本開示のシール補強部材は、本開示の防水屋根構造および防水屋根構造の補修方法に用いることができる。
【図面の簡単な説明】
【００１１】
【図１】実施の形態１の防水屋根構造を適用したのユニット建物を示す斜視図である。
【図２】実施の形態１の防水屋根構造を示す断面図である。
【図３】実施の形態１の防水屋根構造における補修前の防水屋根構造を示す一部を切断した状態の斜視図である。
【図４】実施の形態１の防水屋根構造を示す一部を切断した状態の斜視図である。
【図５Ａ】図１のイ部を示す断面図であって、シール補強部材が設けられた部位の断面図である。
【図５Ｂ】図１のイ部を示す断面図であって、シール補強部材の継ぎ目の部位の断面図である。
【図５Ｃ】図１のロ部を示す断面図である。
【発明を実施するための形態】
【００１２】
以下、本開示による防水屋根構造、防水屋根構造の補修方法およびシール補強部材を実現する実施の形態を、図面に基づいて説明する。
【００１３】
実施の形態１の防水屋根構造、防水屋根構造の補修方法およびシール補強部材は、複数の建物ユニットを結合して構築された図１に示すユニット建物１に適用されている。
【００１４】
［ユニット建物の説明］
まず、ユニット建物１について説明する。
ユニット建物１は、基礎２の上に複数の下階の建物ユニット３が設置され、複数の下階の建物ユニット３の上に、複数の上階の建物ユニット４が設置され、複数の上階の建物ユニット４の上に屋根１０が設置された構造となっている。そして、屋根１０は、平坦部Ａと、平坦部Ａの外周縁部に設けられ、平坦部Ａよりも高くなったパラペット３０と、を備える。
【００１５】
なお、建物ユニット３，４は、隅角部に配置される角形鋼管から成る柱と、柱の下端部間を連結した溝形鋼から成る床大梁と、柱の上端部間を連結した溝形鋼から成る天井大梁と、からなる骨組構造体である。
【００１６】
［屋根の構造の説明］
次に、屋根１０の構造について図２に基づいて説明する。図２に示す屋根１０の構造は、既存の屋根１０に補修を施した状態を示している。そこで、以下の説明では、まず、既存のユニット建物１の屋根１０およびパラペット３０の構造について説明し、その後、補修の手順および補修後の屋根１０の構造を説明する。
屋根１０は、建物ユニット４の上部に対向して設けられた天井大梁１１の間に、複数の屋根小梁１２が平行に掛け渡されている。屋根小梁１２の端部には、取付金具１４が設けられており、取付金具１４がスペーサ１５を介して、天井大梁１１にボルトで固定されている。
【００１７】
そして、屋根小梁１２の上に、軽量気泡コンクリート板１３が設置されている。また、軽量気泡コンクリート板１３の端部には、補強金物１７が設けられており、補強金物１７がスペーサ１５にボルトで固定されている。また、補強金物１７の上部の屋外側端部には、断面Ｌ字状のプレート部材１７ａがパラペット３０に沿って設けられている。なお、図２において矢印ＯＵＴの方向が屋外方向を示し、矢印ＩＮの方向が屋内方向を示す。
【００１８】
軽量気泡コンクリート板１３と補強金物１７およびプレート部材１７ａの上面により、屋根１０の平坦部Ａが形成されている。さらに、軽量気泡コンクリート板１３と補強金物１７およびプレート部材１７ａの上面には、防水層として塩化ビニルシート１８が設けられていれる。以下、塩化ビニルシートは、他の塩化ビニルシートを含み塩ビシートという。
【００１９】
［パラペットの説明］
次に、パラペット３０の構造について説明する。
既存の屋根１０のパラペット３０は、屋外側の化粧板２５と、屋内側の軒樋部材５０とを備える。
【００２０】
化粧板２５は、取付金具２３に固定されたアーム部材２４に支持されて屋根１０の外周を囲むように化粧板２５が取り付けられている。なお、取付金具２３は、天井大梁１１の屋外側に突出した状態で、基端部が天井大梁１１にボルトで固定されている。アーム部材２４は、取付金具２３の先端に取り付けられ、取付金具２３から斜め上方に突出されている。
【００２１】
そして、化粧板２５の上面２５ａ（図３参照）は、パラペット３０の庇天端部Ｃとされている。さらに、庇天端部Ｃと平坦部Ａとに跨って側溝部Ｂが設けられている。この側溝部Ｂは、パラペット３０の屋内側に沿って設けられた塩化ビニル鋼板製の軒樋部材５０により形成されている。
【００２２】
軒樋部材５０は、図３に示すように、化粧板２５の上面２５ａに重なる上部平坦部５１と、補強金物１７の上面に重なる下部平坦部５２と、両平坦部５１、５２に連続して形成され両平坦部５１、５２の間で略しの字状の溝を形成する溝形成部５３とを備える。なお、両平坦部５１，５２は、リベットやビスなどで、それぞれ、化粧板２５と、補強金物１７のプレート部材１７ａとに固定されている。
【００２３】
以上説明した屋根１０の構造に基づいて、屋根１０の平坦部Ａは、塩ビシート１８により防水し、側溝部Ｂは、軒樋部材５０により防水することができる。
【００２４】
［新規の防水屋根構造の説明］
次に、上述の既存の屋根１０において、経時劣化などに対応して補修する場合の、補修後の防水屋根構造について説明する。なお、この補修後の構造として説明する防水構造は、補修する以外にも、例えば、豪雪地帯などにおいて、既存の構造として説明した通常の防水構造よりも防水性能を高めたい場合にも適用することができる。
【００２５】
この補修を行う場合、平坦部Ａの既存の塩ビシート１８の上に絶縁シート６０を敷設し、パラペット３０の庇天端部Ｃにシール補強部材７０を取り付け、シール補強部材７０、軒樋部材５０および絶縁シート６０を第２の塩ビシート２００で覆う。
そこで、以下に絶縁シート６０の敷設の工程、シール補強部材７０の取り付けの工程、第２の塩ビシート２００の敷設の工程の順で説明する。
【００２６】
まず、絶縁シート６０の敷設の工程について説明する。
この場合、まず、平坦部Ａにおいて軽量気泡コンクリート板１３が設置された領域において既存の塩ビシート１８の上に絶縁シート６０を敷設する。この絶縁シート６０は、例えば、ポリエチレン系のシートにより形成されたもので、その外周縁部には、上側から絶縁シート６０の全周を押さえる金属あるいは樹脂製の帯状のプレート材６１が設けられている。そして、絶縁シート６０は、塩ビシート１８を貫通して軽量気泡コンクリート板１３にアンカプラグ６２、ビス６３、ディスク板６４を用いて固定される。
【００２７】
すなわち、アンカプラグ６２を軽量気泡コンクリート板１３に打ち込み、ディスク板６４を絶縁シート６０の上に乗せた状態で、ビス６３をディスク板６４に挿通させてアンカプラグ６２に打ち込むことにより、絶縁シート６０をディスク板６４で押さえ付けて固定する。また、絶縁シート６０においてプレート材６１が設けられている部位は、ディスク板６４はプレート材６１の上に配置する。なお、ディスク板６４は、金属製の円盤状のプレートであり、後述する第２の塩ビシート２００を溶着するのに使用する。
【００２８】
次に、シール補強部材７０の取り付けの工程について説明する。
シール補強部材７０は、図５Ａ、図５Ｂに示すように、化粧板２５の上面２５ａにおいて、既存の軒樋部材５０の上部平坦部５１の上面と、化粧板２５の外側面の上端部を覆った状態で取り付けられている。
【００２９】
このシール補強部材７０の取り付けを行う前に、シール補強部材７０を取り付ける庇天端部Ｃを平らにする作業を行う。すなわち、軒樋部材５０は、パラペット３０に沿って複数のものが連続して設けられており、複数個所に軒樋部材５０どうしの継ぎ目が設けられている。
【００３０】
図５Ｂは、軒樋部材５０の継ぎ目部分を示しており、この継ぎ目をシールするために、継ぎ目部分の上から継ぎ目用の塩ビシート９１で覆っている。このため、庇天端部Ｃでは、継ぎ目用の塩ビシート９１が設けられている箇所と、図５Ａに示す継ぎ目でない部分とでは、高さが異なっている。このような段差が生じたままシール補強部材７０を設けると、この段差部分に隙間が生じシール性が悪化する。
【００３１】
そこで、庇天端部Ｃにおいて継ぎ目用の塩ビシート９１が設けられていない箇所には、図５Ａに示すように、軒樋部材５０の上部平坦部５１には塩ビシート９１と同じ厚さの高さ調整シート９２を設けている。なお、高さ調整シート９２には、塩ビシートを用いることができる。
【００３２】
したがって、シール補強部材７０を取り付ける前の庇天端部Ｃは、全周で段差が生じないように形成され、全周でシール補強部材７０の水平部７１を平らな面に取り付けることができる。
【００３３】
シール補強部材７０は、所定の長さのものがパラペット３０の庇天端部Ｃに沿って複数直列に設置されて、庇天端部Ｃの全周に設けられている。このシール補強部材７０は、塩化ビニル鋼板を略Ｌ字状に折り曲げて形成され、水平部７１と垂下部７２とを備える。なお、垂下部７２の下端には、内側にＵ字状に折り曲げられた折曲部７２ａを備える。
【００３４】
また、シール補強部材７０の水平部７１と垂下部７２とにより形成されたコーナ部７０ｃの裏側には、防水材７３が取り付けられている。防水材７３は、例えばエプトシーラ（登録商標）などのゴム系発泡材を用いることができる。この防水材７３は、矩形断面形状に形成されており、かつ、図示のシール補強部材７０をパラペット３０に取り付けた状態では、弾性的に圧縮変形されて化粧板２５に圧接された状態で取り付けられる寸法に形成されている。
【００３５】
次に、シール補強部材７０のパラペット３０への取り付ける工程を説明する。
シール補強部材７０は、接着テープ７４とドリルねじ７５によりパラペット３０の庇天端部Ｃに固定されている。なお、図５Ａは、シール補強部材７０が存在する部位、すなわち、シール補強部材７０の断面を示している。一方、図５Ｂは、図において紙面の前後方向で、シール補強部材７０どうしの継ぎ目を示し、シール補強部材７０の端面を示している。また、図５Ｂでは、前述のように軒樋部材５０どうしの継ぎ目も示している。これらのシール補強部材７０どうしの継ぎ目と軒樋部材５０どうしの継ぎ目とは、必ずしも同じ個所とはならないが、図示上、両継ぎ目を１つの図に示している。
【００３６】
接着テープ７４は、例えば、ブチルテープを用いることができる。そして、接着テープ７４は、図５Ａ、図５Ｂに示すように、庇天端部Ｃの高さ調整シート９２の上面、あるいは、継ぎ目用の塩ビシート９１の上面と、化粧板２５の上面２５ａと、化粧板２５の外側面の上端部を覆って、これらに接着されている。
【００３７】
そして、シール補強部材７０は、水平部７１および防水材７３を接着テープ７４に接着した状態で、ドリルねじ７５を水平部７１の上から化粧板２５の上面２５ａに向けて建通させて締結することで、パラペット３０に固定されている。
【００３８】
また、シール補強部材７０の取り付け状態で、前述したように、防水材７３が圧縮方向に弾性変形して化粧板２５とシール補強部材７０とに圧接されて、化粧板２５とシール補強部材７０との間をシールしている。
【００３９】
さらに、図５Ｂに示すように、シール補強部材７０の継ぎ目では、シール補強部材７０の延在方向で、シール補強部材７０の端部どうしを、継ぎ目部材８０により上方から覆っている。この継ぎ目部材８０は、下側のアルミテープ８１と上側の塩ビシート８２とを上下に重ねて形成されている。そして、継ぎ目部材８０の屋内側の端縁は、コーキング材８３で覆ってシールしている。
【００４０】
次に、第２の塩ビシート２００の敷設の工程について説明する。
第２の塩ビシート２００は、図２に示すように、シール補強部材７０、軒樋部材５０、絶縁シート６０を覆って敷設されている。
ここで、第２の塩ビシート２００は、平坦部Ａにおいて絶縁シート６０の上面に敷設される平坦部用シート２１０と、側溝部Ｂおよび庇天端部Ｃにおいてシール補強部材７０および軒樋部材５０の上面に敷設される軒樋部材用シート２２０と、を備える。そして、平坦部用シート２１０は、溶着領域ＷＥＬにおいて、絶縁シート６０を固定するディスク板６４に熱溶着させることで屋根１０の平坦部Ａの溶着領域ＷＥＬに固定されている。すなわち、溶着領域ＷＥＬは、絶縁シート６０が設けられている領域である。
【００４１】
一方、軒樋部材用シート２２０は、接着領域Ｂｏにおいて、既存の軒樋部材５０およびプレート部材１７ａに接着剤を用いて接着されている。接着剤としては、ニトリルゴム系の接着剤が用いられ、１平米（ｍ２）あたり０．４Ｋｇ程度塗布し、くしなどの冶具を用いて伸ばした後、所定程度乾燥させて第２の塩ビシート２００の軒樋部材用シート２２０を接着させている。
【００４２】
図２、図５Ａ，図５Ｂに示すように、軒樋部材用シート２２０は、屋外方向の端縁は、シール補強部材７０の屋外側の端縁と同一位置に配置されている。一方、軒樋部材用シート２２０の屋内側の端縁は、絶縁シート６０の屋外側の端縁に突き当たるようにして対向して配置されている。
【００４３】
そして、この軒樋部材用シート２２０の屋内側の端縁部の上に、平坦部用シート２１０の外周端縁部が被せられて、重合部２３０が形成されている。
【００４４】
[実施の形態の効果]
以下に、実施の形態１の防水屋根構造および防水屋根構造の補修方法の効果を説明する。
（１）実施の形態１の防水屋根構造は、ユニット建物１の屋根１０の平坦部Ａの周囲に設けられたパラペット３０と、パラペット３０の庇天端部Ｃか平坦部Ａにかけて設けられた軒樋部材５０と、平坦部Ａを覆って設けられた防水シートとしての塩ビシート１８と、を備える。そして、軒樋部材５０と塩ビシート１８とを覆って、第２の塩ビシート２００が設けられている。
このように、軒樋部材５０と塩ビシート１８とを覆って、第２の塩ビシート２００が設けられているため、高い防水性能をえることができる。
そして、既存の防水屋根構造を、補修して第２の塩ビシート２００を設ける場合に、軒樋部材５０として、既存のものをそのまま用いることができ、新規の軒樋部材を設けるものと比較して、コストおよび作業の手間を削減可能である。また、既存の軒樋部材５０を用いても、その全面を第２の塩ビシート２００により覆うため、十分な防水性能を得ることができる。
【００４５】
（２）実施の形態１の屋根防水構造は、軒樋部材５０の庇天端部Ｃに位置する部分からパラペット３０の庇天端部Ｃに隣り合う外周側面を覆うシール補強部材７０が設けられ、シール補強部材７０と化粧板２５の間の隙間を塞いで防水材７３が設けられている。そして、第２の塩ビシート２００は、屋外側の端部がシール補強部材７０の上面を覆っている。
したがって、既存の軒樋部材５０と化粧板２５との間が、シール補強部材７０および防水材７３によりシールすることができ、高い防水性能を得ることができる。
【００４６】
（３）実施の形態１の屋根防水構造は、シール補強部材７０は、パラペット３０に沿って屋根１０の周方向に複数並設され、かつ、シール補強部材７０どうしの間に継ぎ目を有し、継ぎ目を挟むシール補強部材７０の端部と、継ぎ目とを覆って継ぎ目部材８０が設けられている。さらに、第２の塩ビシート２００の屋外側の端部は、継ぎ目では、継ぎ目部材８０を覆っている。
したがって、シール補強部材７０どうしの継ぎ目を確実にシールすることができる。
【００４７】
（４）実施の形態１の屋根防水構造は、第２の塩ビシート２００は、軒樋部材５０を覆う軒樋部材用シート２２０と、平坦部Ａを覆う平坦部用シート２１０とを備えるとともに、軒樋部材用シート２２０の端縁部と平坦部用シート２１０の端縁部とが重なり合う重合部２３０を有する。さらに、軒樋部材用シート２２０は、軒樋部材５０に接着剤により接着され、さらに、塩ビシート１８の上には、塩ビシート１８とは材質が異なる絶縁シート６０が敷設され、この絶縁シート６０を平坦部Ａに固定するのに用いた金属製のディスク板６４に、平坦部用シート２１０が溶着されている。
したがって、塩ビシート１８に、同材質の平坦部用シート２１０を重ねた場合、可塑剤移行が生じて平坦部用シート２１０の劣化が進むおそれがあるが、異材質の絶縁シート６０を間に介在させることにより、このような劣化の進行を防止できる。
なお、塩ビ鋼板製の軒樋部材５０と第２の塩ビシート２００との間には、接着剤が介在されているため、上記の可塑剤移行による劣化の進行は、抑制できる。
また、平坦部用シート２１０を、ディスク板６４に溶着させるようにしたため、広い面積の平坦部Ａに接着する場合よりも作業性に優れる。加えて、平坦部用シート２１０の溶着の相手を、絶縁シート６０の固定に用いるディスク板６４を利用することにより、安価に溶着を行うことができる。
【００４８】
（５）実施の形態１の防水屋根構造の補修方法は、ユニット建物１の屋根１０の平坦部Ａの周囲に設けられたパラペット３０と、パラペット３０の庇天端部Ｃから平坦部Ａにかけて設けられた軒樋部材５０と、平坦部Ａを覆って設けられた塩ビシート１８と、を備えた防水屋根構造の補修方法である。
そして、軒樋部材５０および平坦部Ａを第２の塩ビシート２００で覆い、軒樋部材５０と第２の塩ビシート２００とを接着剤で接着する工程を備える。
このように、軒樋部材５０と塩ビシート１８とを覆って、第２の塩ビシート２００が設けられているため、高い防水性能をえることができる。
そして、既存の防水屋根構造を、補修して第２の塩ビシート２００を設ける場合に、軒樋部材５０として、既存のものをそのまま用いることができ、新規の軒樋部材を設けるものと比較して、コストおよび作業の手間を削減可能である。また、既存の軒樋部材５０を用いても、その全面を第２の塩ビシート２００により覆うため、十分な防水性能を得ることができる。
【００４９】
（６）実施の形態１の防水屋根構造の補修方法は、軒樋部材５０の庇天端部Ｃに位置する部分からパラペット３０の庇天端部Ｃに隣り合う外周側面を覆ってシール補強部材７０を設ける工程と、平坦部Ａの上に、塩ビシート１８および第２の塩ビシート２００とは異なる材質の絶縁シート６０を敷設する工程と、シール補強部材７０および軒樋部材５０を第２の塩ビシート２００で覆って接着剤で接着する工程と、平坦部Ａの絶縁シート６０を第２の塩ビシート２００で覆って溶着する工程と、を備える。
したがって、既存の塩ビシート１８に、同材質の平坦部用シート２１０を重ねた場合、可塑剤移行が生じて平坦部用シート２１０の劣化が進むおそれがある。それに対して、塩ビシート１８と平坦部用シート２１０との間に異材質の絶縁シート６０を間に介在させることにより、このような劣化の進行を防止できる。
【００５０】
（７）実施の形態１のシール補強部材７０は、パラペット３０の庇天端部Ｃに取り付けられた軒樋部材５０の端部の上部平坦部５１と、パラペット３０の屋外側の側部上端部とを覆うのに用いる。そして、シール補強部材７０は、軒樋部材５０の上部平坦部５１を上方から覆う水平部７１と、水平部７１の取り付け時に屋外側に配置される端部から垂下された垂下部７２と、水平部７１と垂下部７２とによるコーナ部７０ｃの裏面に設けられて、取付時にパラペット３０の庇天端部Ｃと側部上端部とに圧接可能な弾性を有した防水材７３と、を備える。
したがって、パラペット３０と第２の塩ビシート２００との間のシール性を確保できる。 
【００５１】
以上、本開示の防水屋根構造、防水屋根構造の補修方法およびシール補強部材を実施の形態に基づき説明してきた。しかし、具体的な構成については、これらの実施の形態に限られるものではなく、特許請求の範囲の各請求項の要旨を逸脱しない限り、各実施の形態の組み合わせ、設計の変更や追加等は許容される。
【００５２】
例えば、実施の形態では、本開示の防水屋根構造、防水屋根構造の補修方法およびシール補強部材をユニット建物１に適用した例を示した。しかし、本開示の防水屋根構造、防水屋根構造の補修方法およびシール補強部材は、一般的な鉄骨構造の建物や、在来工法の建物、ツーバイフォー式の建物にも適用可能である。
【００５３】
また、実施の形態では、防水シートおよび第２の防水シートとして、塩ビシートを示したが、これに限定されるものではない。例えば、ポリエチレンなど、他の樹脂系のシートを用いるようにしてもよい。
【００５４】
また、実施の形態の防水屋根構造およびその補修方法では、シール補強部材を用いる例を示したが、これに限定されない。例えば、シール補強部材を用いずに、第２の防水シートによりパラペットの外側面の上部まで覆うようにしてもよい。また、シール補強部材を用いる場合も、実施の形態で示したものとは異なる形状のものを用いてもよい。
【００５５】
また、実施の形態では、第２の防水シートを、平坦部用シート２１０と、軒樋部材用シート２２０との２つのシートで構成した例を示したがこれに限定されず、１枚のシートで、平坦部Ａと軒樋部材５０とを覆うようにしてもよいし、３以上に分けてもよい。
【００５６】
また、実施の形態では、シール補強部材７０どうしの継ぎ目部分を継ぎ目用防水シートで覆う例を示したが、これに限定されず、継ぎ目にシール材を充填するようにしてもよい。  また、絶縁シートとしては、ポリエチレン系のものを示したが、防水シートおよび第２の防水シートと異なる材質のものであれば、これに限定されるものではない。
【符号の説明】
【００５７】
１     ユニット建物
１０   屋根
１８   塩化ビニルシート（塩ビシート：防水シート）
２５   化粧板
２５ａ 上面
３０   パラペット
５０   軒樋部材
６０   絶縁シート
６４   ディスク板
７０   シール補強部材
７０ｃ コーナ部
７１   水平部
７２   垂下部
７３   防水材
８０   継ぎ目部材
８１   アルミテープ
２００ 第２の塩ビシート（第２の防水シート）
２１０ 平坦部用シート
２２０ 軒樋部材用シート
２３０ 重合部
Ａ     平坦部
Ｂ     側溝部
Ｃ     庇天端部
【図１】
2020158954.tif 000003
【図２】
2020158954.tif 000004
【図３】
2020158954.tif 000005
【図４】
2020158954.tif 000006
【図５Ａ】
2020158954.tif 000007
【図５Ｂ】
2020158954.tif 000008
【図５Ｃ】
2020158954.tif 000009